(57)【要約】【課題】  本発明に係る歩行者流量分析システムは、歩行者流量の分析に用いられる。映像キャプチャー装置とデータ処理装置を含む。【解決手段】  前記映像キャプチャー装置は所定処に設置され、前記所定処の少なくとも一つの映像をキャプチャーする。前記データ処理装置は前記映像キャプチャー装置に接続され、このキャプチャーされた映像を処理することにより、前記所定処の背景を獲得し、前記所定処の歩行者量を算出する。【選択図】図１
2010262651.tif 000002
【特許請求の範囲】
【請求項１】
流量分析システムであって、
所定処に設置され、前記所定処の少なくとも一つの映像をキャプチャーするためのキャプチャー装置と、
前記キャプチャー装置に接続され、前記映像を処理することにより、所定処の背景を獲得し、前記所定処の歩行者数を算出するための処理装置を含むことを特徴とする流量分析システム。
【請求項２】
前記キャプチャー装置は、少なくとも１つのカメラであることを特徴とする、請求項１に記載の流量分析システム。
【請求項３】
さらに前記処理装置に接続され、前記処理装置にて処理されるデータを保存するための保存装置を含むことを特徴とする、請求項２に記載の流量分析システム。
【請求項４】
さらに前記処理装置に接続され、前記処理されたデータを保存するための保存装置を含むことを特徴とする、請求項２に記載の流量分析システム。
【請求項５】
歩行者流量分析システムであって、
前記所定処に設置され、前記所定処の歩行者流量データを集めるための収集ユニットと、
前記収集ユニットに接続され、前記歩行者流量データを保存するための保存ユニットと、
前記保存ユニットに接続され、前記歩行者流量データを処理するための計算ユニットを含み、
前記計算ユニットはさらに前記所定処の背景を設置する背景設置モジュールと、前記背景設置モジュールに接続され、前記所定処の歩行者数を計算するための計算モジュールを含むことを特徴とする歩行者流量分析システム。
【請求項６】
前記収集ユニットは、少なくとも一つのカメラを備えることを特徴とする請求項５に記載の歩行者流量分析システム。
【発明の詳細な説明】
【技術分野】
【０００１】
本発明は、人の数、歩行者の速度及び方向を検知するための歩行者流量分析システムに関する。
【背景技術】
【０００２】
従来から交通流量監視システム等が用いられている。これは、単に車両の流量及び速度を検知するだけのものであり、例えば、歩行者の流量、速度、流れの向きなど、他の道路状況に関しては処理をすることができず、検知されたデータを自動記録し、分析や処理を加えることはできなかった。
【発明の概要】
【発明が解決しようとする課題】
【０００３】
しかしながら、前述した従来の技術では、車両の流量及び、速度を検知することだけが可能で、そのため、歩行者の流量、速度、及び流れの向きなどを向上させることは難しく、検知されたデータを自動記録し、分析や処理を加えることができないといった問題があった。
【０００４】
本発明は、このような従来の問題に鑑みてなされたものである。上記課題解決のため、本発明は、道路上の歩行者の状況を検知し、検知された結果は処理器に伝送され、分析及び、処理が加えられる流量分析システムを提供することを主目的とする。
【課題を解決するための手段】
【０００５】
本発明によれば、流量分析システムであって、所定処に設置され、前記所定処の少なくとも一つの映像をキャプチャーするためのキャプチャー装置と、前記キャプチャー装置に接続され、前記映像を処理することにより、前記所定処の背景を獲得し、前記所定処の歩行者数を算出するための、処理装置を含むことを特徴とする流量分析システムが提供される。
【０００６】
本発明の実施例では、流量分析システムであって、所定処に設置され、前記所定処の少なくとも一つの映像をキャプチャーするためのキャプチャー装置と、前記キャプチャー装置に接続され、前記映像を処理することにより、前記所定処の背景を獲得し、前記所定処の歩行者数を算出する処理装置を含むことを特徴とする流量分析システムが提供される。
【０００７】
本発明の実施例の前記キャプチャー装置は少なくとも１つのカメラであり、防水デザインもしくは、無線デザインがなされうる。
【０００８】
本発明の実施例の前記歩行者流量分析システムは、さらに前記処理装置に接続され、前記処理装置にて処理されるデータもしくは、前記処理されたデータを保存するための保存装置を含みうる。
【０００９】
本発明の実施例の前記歩行者流量分析システムは、前記所定処に設置され、前記所定処の歩行者流量データを集めるための収集ユニットと、前記収集ユニットに接続され、前記歩行者流量データを保存するための保存ユニットと、前記保存ユニットに接続され、前記歩行者流量データを処理するための計算ユニットを含み、前記計算ユニットはさらに前記所定処の背景を設置する背景設置モジュールと、前記背景設置モジュールに接続され、前記所定処の歩行者数を計算するための計算モジュールを含むことを特徴とする歩行者流量分析システムである。
【００１０】
本発明の別の実施形態の前記収集ユニットは、少なくとも１つのカメラであり、防水デザインもしくは、無線デザインがなされうる。
【発明の効果】
【００１１】
本発明によれば、道路上の歩行者の状況を検知でき、検知された結果は処理器に送られ、分析及び、処理を加えることができる流量分析システムが得られる。
【図面の簡単な説明】
【００１２】
【図１】本発明の好ましい実施形態の流量分析システムの概要ブロック図である。
【図２】本発明の別の好ましい実施形態の流量分析システムの概要ブロック図である。
【発明を実施するための形態】
【００１３】
以下、本発明を実施するための形態について、詳細に説明する。なお、本発明は、以下に説明する実施形態に限定されるものではない。本発明の実施形態に係る流量分析システム１０は、図１に示されているように、キャプチャー装置１２と処理装置１４を含む。
【００１４】
キャプチャー装置１２は、所定処に設置され、当該所定処の少なくとも一つの映像がキャプチャー（捕獲）される。キャプチャー装置１２は、少なくとも１つのカメラであり、かかるカメラには防水機能もしくは無線機能が備えられることができ、また、ＣＣＤ（電荷結合素子）カメラが含まれ得る。前記所定処は、第一所定処であり得、前記カメラは前記第一所定処の場所を撮影できる場所に設置され、前記第一所定処は交差点とすることができる。さらに、前記第一所定処は、いくつかの交差点であり得、この場合、それぞれの交差点に少なくとも一台のカメラが設置される。
【００１５】
各交差点に設置されたカメラがキャプチャーした映像は、処理装置１４に伝送される。処理装置１４は、キャプチャー装置１２に接続され、キャプチャー装置１２からの映像を処理することにより、第一所定処（ここでは交差点）の背景を獲得し、当該交差点の歩行者数を算出する。処理装置１４は、交差点（第一所定処）もしくは、その後遠方の第二の所定処に設置される。この流量分析システムは、さらに保存装置１６を含むことも可能である。この保存装置１６は、処理装置１４に接続され、データを保存するために用いられる。
【００１６】
保存装置１６は、処理装置１４にて処理されるデータ、もしくは処理装置１４が処理した後のデータを保存する。保存装置１６は、交差点、もしくは処理装置１４が設置される前記第二所定処、もしくは別の第三所定処に設置されうる。
【００１７】
キャプチャー装置１２、処理装置１４、そして保存装置１６がもしすべて交差点に設置されるならば、大量の設置、メンテナンスもしくはメンテナンスの人員、金銭、時間が消費されることになる。このため、交差点にキャプチャー装置１２だけを設置し、キャプチャー装置１２からの影像を遠方に設置された処理装置１４と保存装置１６に伝送することにより、集中的に分析処理と運用を行うことができる。図２に、本発明の別の実施形態の流量分析システムの概要ブロック図を示す。本発明の別の実施形態の流量分析システム２０は、歩行者の流量の分析に適しており、収集ユニット２２と保存ユニット２４と計算ユニット２６とが含まれる。
【００１８】
収集ユニット２２は、所定処に設置され、当該所定処の歩行者流量データを収集するために用いられる。収集ユニット２２は、少なくとも１つのカメラであり、ＣＣＤ（電荷結合素子）カメラが含まれ得る。収集ユニット２２は、防水性を備えることができる。また、収集ユニット２２は、無線機能を備えることができる。前記所定処は第一所定処であり得、前記カメラは前記第一所定処の場所を撮影できる場所に設置され、前記第一所定処は交差点であり得る。
【００１９】
保存ユニット２４は、収集ユニット２２に接続され、前記歩行者流量データを保存するために用いられる。計算ユニット２６は、保存ユニット２４に接続され、前記歩行者流量データを処理するために用いられる。そして、計算ユニット２６は、前記所定処の背景を設置するための背景設置モジュール２８と、背景設置モジュールに接続され、前記所定処の歩行者数を計算するための計算モジュール３０が備えられている。目下、マーケット上での人型検知技術の発展は日に日に成熟してきており、計算モジュール３０は、顔の形状を用いた検出もしくは他の特徴による検出を利用して、歩行者流量データの中から、まず、歩行者の人影を検出し、さらに、所定処の歩行者数を算出する。歩行者の流量が算出された後、続けて流量データを収集することにより、歩行者の流速及び、歩行者の流れの向きが判断される。
【００２０】
計算ユニット２６は、前記交差点もしくはその後方遠方の第二所定処に設置される。保存ユニット２４は、交差点もしくは計算ユニット２６が設置された第二所定処、もしくは別の第三所定処に設置されうる。
【００２１】
上述されているように、各種、人力、金銭、時間などの要因を考慮し、本発明の別の改良実施例の流量分析システムでは、交差点に収集ユニット２２だけが設置され、交差点の歩行者流量データを収集し、さらに、保存ユニット２４と計算ユニット２６に伝送され、集中的に分析処理が加えられ、運用される。
【００２２】
以上、本発明の実施形態について図面を参照して詳述したが、具体的な構成はこの実施形態に限られるものではなく、本発明の要旨を逸脱しない範囲の設計変更等も含まれる。
【符号の説明】
【００２３】
１０  流量分析システム
１２  キャプチャー装置
１４  処理装置
１６  保存装置
２０  流量分析システム
２２  収集ユニット
２４  保存ユニット
２６  計算ユニット
２８  背景設置モジュール
３０  計算モジュール
【図１】
2010262651.tif 000003
【図２】
2010262651.tif 000004